(57)【要約】【課題】小型化、薄型化を図り、コストダウンを図る。【解決手段】ランプハウジングにＬＥＤ６が実装されたフレキシブル配線基板（ＦＰＣ）７を設けるとともに、ランプカバーを取り付けた車両用室内照明において、前記ＦＰＣ７に実装されたＬＥＤ６を取り囲むように一辺の折曲部１１を残して切り込み１２を形成し、ＬＥＤ６の実装部分９を切り込み１２の個所から立ち上がらせて前記折曲部１１で折り曲げて目的照射範囲１４にＬＥＤ６の照射光が向くように傾斜させた。【選択図】図１
2007106214.tif 000002
【特許請求の範囲】
【請求項１】
ランプハウジングにＬＥＤが実装されたフレキシブル配線基板（ＦＰＣ）を設けるとともに、ランプカバーを取り付けた車両用室内照明において、
前記ＦＰＣに実装されたＬＥＤを取り囲むように一辺の折曲部を残して切り込みを形成し、
ＬＥＤ実装部分を切り込み個所から立ち上がらせて前記折曲部で折り曲げて目的照射範囲にＬＥＤの照射光が向くように傾斜させたことを特徴とする車両用室内照明。
【請求項２】
前記ランプハウジングの構成部材として所定の角度で傾斜する傾斜台を備えたベース板を使用し、このベース板の傾斜台に前記ＬＥＤ実装部分を傾斜に沿って取り付けたことを特徴とする請求項１に記載の車両用室内照明。
【請求項３】
前記ランプカバーの裏面には、前記傾斜台に嵌合する蓋体と、この蓋体内に設けられたＬＥＤをカバーする筒体とを有することを特徴とする請求項２に記載の車両用室内照明。
【発明の詳細な説明】
【技術分野】
【０００１】
この発明は、光源のＬＥＤからの光をスポット光として投光照射する車両用室内照明に関するものである。
【背景技術】
【０００２】
ＬＥＤを光源とした車両用室内照明としては、スポット光の投光照射方向を多方向に任意の方向に設定することを可能にしたものが知られている。これは、ＬＥＤを光源とし、前記ＬＥＤをランプカバーで覆われた灯室に配置し、前記ランプカバーに投光用開口孔を設け、前記ＬＥＤからの光を投光用開口孔からスポット光として投光照射する車両用ルームランプにおいて、投光用開口孔が灯室の軸に対してオフセットされたものである（特許文献１参照）。
【特許文献１】特開２００２−３３１８６８号公報（第３頁、図１）
【発明の開示】
【発明が解決しようとする課題】
【０００３】
従来の照明は、指向性のあるＬＥＤの光を照明対象物に向けるためのリジッドな基板（プリントサーキットボード）がランプハウジング内に傾斜して設けられ、この基板の両端部にそれぞれ垂直にＬＥＤが固定されているので、ＬＥＤの照射方向は基板の傾きで定まっていた。すなわち、従来はＬＥＤの照射方向は基板に垂直な方向であり、そのためマップランプのように灯室の軸に対して斜めに照射するような用途の場合に基板自体を傾けて取り付けるため、照明装置全体の小型化、薄型化が図りにくく、コストダウンにも限界があった。
【０００４】
そこで、本発明は、基板全体に対してＬＥＤの照射方向を垂直にせず、自由に傾けることができ、小型化、薄型化を図ってコストを低減できる車両用室内照明を提供することを目的とする。
【課題を解決するための手段】
【０００５】
上述の目的を達成するため、本発明は、ランプハウジングにＬＥＤが実装されたフレキシブル配線基板（ＦＰＣ）を設けるとともに、ランプカバーを取り付けた車両用室内照明において、前記ＦＰＣに実装されたＬＥＤを取り囲むように一辺の折曲部を残して切り込みを形成し、ＬＥＤ実装部分を切り込み個所から立ち上がらせて前記折曲部で折り曲げて目的照射範囲にＬＥＤの照射光が向くように傾斜させたものである。
【発明の効果】
【０００６】
本発明によれば、ランプハウジングにＬＥＤが実装されたフレキシブル配線基板（ＦＰＣ）を設けるとともに、ランプカバーを取り付けた車両用室内照明において、前記ＦＰＣに実装されたＬＥＤを取り囲むように一辺の折曲部を残して切り込みを形成し、ＬＥＤ実装部分を切り込み個所から立ち上がらせて前記折曲部で折り曲げて目的照射範囲にＬＥＤの照射光が向くように傾斜させたので、ＦＰＣ全体の取付位置は変えずに、ＬＥＤが実装された部分の傾きを自由に調節して目的照射範囲を照射できる。薄いこと並びに可撓性を有することを特徴とするＦＰＣを使用したことにより、かつＦＰＣ全体の取付位置を従来のように傾斜させないため、装置全体を大きくしたりすることなく、薄型化とコストダウンを図ることができる。例えば、車室内で地図を読むためのマップランプとしてＬＥＤを用いた場合、指向特性の強いＬＥＤを実装したリジット基板を用いてレンズを用いずに上記の目的照射範囲を照らす場合、１つの目的照射範囲に対して、１つのリジット基板が必要になってしまう。よって、部品点数が多くなったことによって信頼性が低下し、またコストが高くなってしまう。本発明を適用した場合には、切り込みで囲まれたＬＥＤ実装部を目的照射範囲を照らすように傾けるだけでよい。したがって、薄型化を維持しながら、部品点数が少ないことによる信頼性の向上やコスト削減に寄与することができる。
【発明を実施するための最良の形態】
【０００７】
以下に、本発明の好適な実施形態について図面を参照にして説明する。
【０００８】
図１では、ランプハウジングの一部を構成する部材として傾斜台２を備えたベース板１を使用し、ランプカバー３として、その裏面に蓋体４と筒体５とを有するものを使用し、前記ベース板１にＬＥＤ６を実装したフレキシブル配線基板（ＦＰＣ）７を取り付けた例を示す。前記傾斜台２は、所定の傾斜角度を有するクサビ状を成し、取付杆８を有している。この傾斜台２に取り付けられるＦＰＣ７のＬＥＤ６を実装した部分９には、取付杆８が挿入される位置決め孔１０が形成されている。
【０００９】
図２は、ベース板１へのＦＰＣ７の取付状態を示す。ＦＰＣ７のＬＥＤ６の実装部分９には２つのＬＥＤ６を実装し、この実装部分９がＦＰＣ７全体から立ち上げられて、傾斜台２に取り付けられることにより所定の傾斜角度に設定される。このベース板１に対して、図３に示されるランプカバー３が装着される。このランプカバー３の裏面には、ベース板１の傾斜台２に嵌合する蓋体４が形成されている。この蓋体４の内部に傾斜台２が嵌め込まれることによってランプカバー３がベース板１に装着される。蓋体４の内部には、２つの筒体５を設けてあり、これら筒体５がＬＥＤ６をカバーする。これら筒体５内をＬＥＤ６の光が通過して、ランプカバー３の投光窓３Ａから目的照射範囲１４へ照射される。この投光窓３Ａの個所にレンズは設けない。
【００１０】
図４は、ＦＰＣ７の一例を示し、実装されたＬＥＤ６を取り囲むように一辺の折曲部１１を残して切り込み１２を形成したものである。図中符号１３は他の機能部品の実装部を示すものである。また、切り込み１２はコ字状に入れたが、半円や楕円などの形状であってもよい。
【００１１】
図５は、ＬＥＤ６の実装部分９を切り込み１２の個所から立ち上がらせて折曲部１１で折り曲げ、折り曲げ角度を目的照射範囲１４に向けた状態を示す。
【００１２】
図６は、目的照射範囲１４が２つの方向に別々にあるとき、ＦＰＣ７のＬＥＤ６を実装した部分９を２ケ所設け、この２ケ所の実装部分９をそれぞれの目的照射範囲１４に向けて立ち上がらせた例を示す。
【００１３】
前記実装部分９の立ち上げを所定角度で保持させる手段として、図１に示すような傾斜台２を用いたが、この傾斜台２の傾斜角を調節可能とすることもできる。例えば、傾斜台２を実装部分９と同じような構造としてベース板１から切り起し、所定の角度でこの傾斜台２をつっかえ棒を当てがう要領などの手段により固定することで、角度調節も可能となる。さらに、傾斜台２を用いずに、実装部分９の裏側へ保持具等を当てがってもかまわない。
【００１４】
本発明の具体的適用範囲としては、照射範囲の制限や薄型化が求められる個所でかつスイッチなどの機能部品が含まれる室内照明（例：天井に取り付けられているルームランプやマップランプ、オーバーヘッドコンソール等）に用いられる。また、レンズを用いなくても、ＬＥＤの指向特性により目的照射範囲を照射できるものである。ＬＥＤの指向特性は、３０°（２θdegree）以内とした。
【図面の簡単な説明】
【００１５】
【図１】本発明の好適な実施形態を示す斜視図。
【図２】ベース板にＦＰＣを取り付けた状態の斜視図。
【図３】ランプカバーの裏側を示す斜視図。
【図４】ＦＰＣの斜視図。
【図５】ＦＰＣの実装部分を立ち上げた状態の斜視図。
【図６】照射方向が２方向の場合のＦＰＣの斜視図。
【符号の説明】
【００１６】
１    ベース板
２    傾斜台
３    ランプカバー
４    蓋体
５    筒体
６    ＬＥＤ
７    ＦＰＣ
９    実装部分
１１  折曲部
１２  切り込み
１４  目的照射範囲
【図１】
2007106214.tif 000003
【図２】
2007106214.tif 000004
【図３】
2007106214.tif 000005
【図４】
2007106214.tif 000006
【図５】
2007106214.tif 000007
【図６】
2007106214.tif 000008